(57)【要約】【課題】本発明は、力率補正装置、電源装置及びモーター駆動装置に関する。【解決手段】本発明は、入力電源をスイッチングして上記入力電源の電流と電圧の位相差を調整する第１スイッチと、上記第１スイッチがスイッチングオンする前にスイッチングオンして上記第１スイッチの余剰電源の伝達経路を形成する第２スイッチと、上記第１スイッチのスイッチングによりエネルギーを蓄積又は放出する第１インダクタと、上記第２スイッチのスイッチングにより上記第２スイッチに流れる電流量を調節する第２インダクタと、を含み、上記第１インダクタと上記第２インダクタは誘導結合する力率補正装置に関する。【選択図】図３
2014113020.tif 000002
【特許請求の範囲】
【請求項１】
入力電源をスイッチングして前記入力電源の電流と電圧の位相差を調整する第１スイッチと、
前記第１スイッチがスイッチングオンする前にスイッチングオンして前記第１スイッチの余剰電源の伝達経路を形成する第２スイッチと、
前記第１スイッチのスイッチングによりエネルギーを蓄積又は放出する第１インダクタと、
前記第２スイッチのスイッチングにより前記第２スイッチに流れる電流量を調節する第２インダクタと、を含み、
前記第１インダクタと前記第２インダクタは誘導結合する、力率補正装置。
【請求項２】
前記第１インダクタ及び前記第２インダクタは差動モードで誘導結合する、請求項１に記載の力率補正装置。
【請求項３】
前記第１インダクタ及び前記第２インダクタが共有する磁性体コアをさらに含む、請求項１または２に記載の力率補正装置。
【請求項４】
前記磁性体コアは、鉄心コア及びフェライトコアのうち少なくとも一つを含む、請求項３に記載の力率補正装置。
【請求項５】
前記第１スイッチのスイッチングにより前記第１インダクタから放出される電源の伝達経路を提供するダイオードと、
前記ダイオードから伝達される電源を安定化させるキャパシタと、をさらに含む、請求項１から４の何れか１項に記載の力率補正装置。
【請求項６】
前記入力電源は整流された電源である、請求項１から５の何れか１項に記載の力率補正装置。
【請求項７】
前記第２スイッチは、前記第１スイッチがスイッチングオンする前にスイッチングオンし、スイッチングオフする、請求項１から６の何れか１項に記載の力率補正装置。
【請求項８】
前記第２スイッチは、前記第１スイッチがスイッチングオンする前にスイッチングオンし、前記第１スイッチがスイッチングオンした後にスイッチングオフする、請求項１から６の何れか１項に記載の力率補正装置。
【請求項９】
前記第１スイッチ及び前記第２スイッチの制御信号を出力する制御部をさらに含む、請求項１から８の何れか１項に記載の力率補正装置。
【請求項１０】
前記第１スイッチ及び前記第２スイッチは、トランジスター、ＩＧＢＴ（Ｉｎｓｕｌａｔｅｄ  ｇａｔｅ  ｂｉｐｏｌａｒ  ｔｒａｎｓｉｓｔｏｒ）及びＭＯＳ‐ＦＥＴ（Ｍｅｔａｌ  ｏｘｉｄｅ  Ｓｅｍｉｃｏｎｄｕｃｔｏｒ  Ｆｉｅｌｄ‐Ｅｆｆｅｃｔ  Ｔｒａｎｓｉｓｔｏｒ）のうち少なくとも一つを含む、請求項１から９の何れか１項に記載の力率補正装置。
【請求項１１】
入力電源をスイッチングして前記入力電源の電流と電圧の位相差を調整する第１スイッチと、
前記第１スイッチがスイッチングオンする前にスイッチングオンして前記第１スイッチの余剰電源の伝達経路を形成する第２スイッチと、
前記入力電源を供給する入力電源端と前記第１スイッチとの間に連結された第１インダクタと、
前記第１スイッチと前記第１インダクタの連結端と、前記第２スイッチとの間に連結された第２インダクタと、を含み、
前記第１インダクタと前記第２インダクタは誘導結合する、力率補正装置。
【請求項１２】
第１スイッチのスイッチングによりエネルギーを蓄積又は放出する第１インダクタと、第２スイッチのスイッチングにより前記第２スイッチに流れる電流量を調節し、前記第１スイッチと誘導結合した第２インダクタと、を備えた力率補正回路と、
前記力率補正回路からの電源をスイッチングして予め設定された電源に変換する電源変換部と、
前記電源変換部の電源スイッチングを制御するスイッチング制御部と、を含む、電源装置。
【請求項１３】
前記第１インダクタ及び前記第２インダクタは差動モードで誘導結合する、請求項１２に記載の電源装置。
【請求項１４】
前記第１インダクタ及び前記第２インダクタが共有する磁性体コアをさらに含む、請求項１２または１３に記載の電源装置。
【請求項１５】
前記磁性体コアは、鉄心コア及びフェライトコアのうち少なくとも一つを含む、請求項１４に記載の電源装置。
【請求項１６】
第１スイッチのスイッチングによりエネルギーを蓄積又は放出する第１インダクタと、第２スイッチのスイッチングにより前記第２スイッチに流れる電流量を調節し、前記第１スイッチと誘導結合した第２インダクタと、を備えた力率補正回路と、
前記力率補正回路からの電源をスイッチングしてモーターを駆動させる駆動部と、
前記駆動部の電源スイッチングを制御する駆動制御部と、を含む、モーター駆動装置。
【請求項１７】
前記第１インダクタ及び前記第２インダクタは差動モードで誘導結合する、請求項１６に記載のモーター駆動装置。
【請求項１８】
前記第１インダクタ及び前記第２インダクタが共有する磁性体コアをさらに含む、請求項１６または１７に記載のモーター駆動装置。
【請求項１９】
前記磁性体コアは、鉄心コア及びフェライトコアのうち少なくとも一つを含む、請求項１８に記載のモーター駆動装置。
【発明の詳細な説明】
【技術分野】
【０００１】
本発明は、結合インダクタ（ｃｏｕｐｌｅｄ  ｉｎｄｕｃｔｏｒ）を適用した力率補正装置、電源装置及びモーター駆動装置に関する。
【背景技術】
【０００２】
近年、多くの国の各政府は、エネルギー効率政策によるエネルギーの効率的な使用を勧めている。特に、電子製品及び家電製品に対するエネルギーの効率的な使用が広く勧められている。
【０００３】
このような奨励に応じてエネルギーを効率的に使用するために、電子製品及び家電製品などに電源を供給する電源装置にエネルギーの効率的な使用のための改善回路が適用されている。
【０００４】
このような改善回路としては力率補正回路が挙げられ、力率補正回路は、入力された電源をスイッチングして入力された電源の電流と電圧の位相差（力率）を調整し、後段に伝達する電源を効率的に伝達するための回路である。
【０００５】
しかし、このような力率補正回路もまた入力された電源をスイッチングする過程でスパイク電圧が発生するという問題点を有する。
【０００６】
一方、電子製品及び家電製品などには、製品が予め設定された動作を行うためのモーターが備えられる場合が多く、このようなモーターを駆動させるためには適切な電源が供給されなければならない。この際、電源を供給するための電源装置にエネルギー効率の改善のための力率補正回路を適用して入力された電源をスイッチングすることで入力された電源の電流と電圧の位相差を調整することができる。しかし、この場合にも入力された電源  スイッチングする過程でスパイク電圧が発生するという問題点がある。
【０００７】
下記先行技術文献に記載の特許文献１は、スナバ回路部のインダクタに蓄積されたエネルギーを用いて力率を改善するためのスナバ電力を用いた力率改善回路に関するものであるが、スイッチング時に発生するスパイク電圧を低減するための事項については開示していない。
【先行技術文献】
【特許文献】
【０００８】
【特許文献１】韓国公開特許第１９９９‐００５８７５３号
【発明の開示】
【発明が解決しようとする課題】
【０００９】
本発明の課題は、上述した問題点を解決することにあり、本明細書は、スナバスイッチのターンオフ動作時にスナバインダクタに流れる電流の電流パスを提供することができる力率補正装置、電源装置、及びモーター駆動装置を提供することを目的とする。
【００１０】
また、本明細書は、スナバスイッチのターンオフ時点で発生する高いスパイク電圧を低減することができる力率補正装置、電源装置、及びモーター駆動装置を提供することを目的とする。
【００１１】
また、本明細書は、イーエムアイ（ＥＭＩ）ノイズレベルを低減する力率補正装置、電源装置、及びモーター駆動装置を提供することを目的とする。
【課題を解決するための手段】
【００１２】
本発明の一様相による力率補正装置は、入力電源をスイッチングして上記入力電源の電流と電圧の位相差を調整する第１スイッチと、上記第１スイッチがスイッチングオンする前にスイッチングオンして上記第１スイッチの余剰電源の伝達経路を形成する第２スイッチと、上記第１スイッチのスイッチングによりエネルギーを蓄積又は放出する第１インダクタと、上記第２スイッチのスイッチングにより上記第２スイッチに流れる電流量を調節する第２インダクタと、を含み、上記第１インダクタと上記第２インダクタは誘導結合することができる。
【００１３】
上記第１インダクタ及び上記第２インダクタは差動モードで誘導結合することができる。
【００１４】
上記力率補正装置は、上記第１インダクタ及び上記第２インダクタが共有する磁性体コアをさらに含むことができる。
【００１５】
上記磁性体コアは、鉄心コア及びフェライトコアのうち少なくとも一つを含むことができる。
【００１６】
上記力率補正装置は、上記第１スイッチのスイッチングにより上記第１インダクタから放出される電源の伝達経路を提供するダイオードと、上記ダイオードから伝達される電源を安定化させるキャパシタと、をさらに含むことができる。
【００１７】
上記入力電源は整流された電源であることができる。
【００１８】
上記第２スイッチは、上記第１スイッチがスイッチングオンする前にスイッチングオンし、スイッチングオフすることができる。
【００１９】
上記第２スイッチは、上記第１スイッチがスイッチングオンする前にスイッチングオンし、上記第１スイッチがスイッチングオンした後にスイッチングオフすることができる。
【００２０】
上記力率補正装置は、上記第１スイッチ及び上記第２スイッチの制御信号を出力する制御部をさらに含むことができる。
【００２１】
上記第１スイッチ及び上記第２スイッチは、トランジスター、ＩＧＢＴ（Ｉｎｓｕｌａｔｅｄ  ｇａｔｅ  ｂｉｐｏｌａｒ  ｔｒａｎｓｉｓｔｏｒ）及びＭＯＳ‐ＦＥＴ（Ｍｅｔａｌ  ｏｘｉｄｅ  Ｓｅｍｉｃｏｎｄｕｃｔｏｒ  Ｆｉｅｌｄ‐Ｅｆｆｅｃｔ  Ｔｒａｎｓｉｓｔｏｒ）のうち少なくとも一つを含むことができる。
【００２２】
本発明の他の様相による力率補正装置は、入力電源をスイッチングして上記入力電源の電流と電圧の位相差を調整する第１スイッチと、上記第１スイッチがスイッチングオンする前にスイッチングオンして上記第１スイッチの余剰電源の伝達経路を形成する第２スイッチと、上記入力電源を供給する入力電源端と上記第１スイッチとの間に連結された第１インダクタと、上記第１スイッチと上記第１インダクタの連結端と、上記第２スイッチとの間に連結された第２インダクタと、を含み、上記第１インダクタと上記第２インダクタは誘導結合することができる。
【００２３】
本発明の一様相による電源装置は、第１スイッチのスイッチングによりエネルギーを蓄積又は放出する第１インダクタと、第２スイッチのスイッチングにより上記第２スイッチに流れる電流量を調節し、上記第１スイッチと誘導結合した第２インダクタと、を備えた力率補正回路と、上記力率補正回路からの電源をスイッチングして予め設定された電源に変換する電源変換部と、上記電源変換部の電源スイッチングを制御するスイッチング制御部と、を含むことができる。
【００２４】
上記第１インダクタ及び上記第２インダクタは差動モードで誘導結合することができる。
【００２５】
上記電源装置は、上記第１インダクタ及び上記第２インダクタが共有する磁性体コアをさらに含むことができる。
【００２６】
上記磁性体コアは、鉄心コア及びフェライトコアのうち少なくとも一つを含むことができる。
【００２７】
本発明の一様相によるモーター駆動装置は、第１スイッチのスイッチングによりエネルギーを蓄積又は放出する第１インダクタと、第２スイッチのスイッチングにより上記第２スイッチに流れる電流量を調節し、上記第１スイッチと誘導結合した第２インダクタと、を備えた力率補正回路と、上記力率補正回路からの電源をスイッチングしてモーターを駆動させる駆動部と、上記駆動部の電源スイッチングを制御する駆動制御部と、を含むことができる。
【００２８】
上記第１インダクタ及び上記第２インダクタは差動モードで誘導結合することができる。
【００２９】
上記モーター駆動装置は、上記第１インダクタ及び上記第２インダクタが共有する磁性体コアをさらに含むことができる。
【００３０】
上記磁性体コアは、鉄心コア及びフェライトコアのうち少なくとも一つを含むことができる。
【発明の効果】
【００３１】
本明細書の開示により、スナバスイッチのターンオフ動作時にスナバインダクタに流れる電流の電流パスを提供することができる力率補正装置、電源装置、及びモーター駆動装置を提供することができる。
【００３２】
また、本明細書の開示により、スナバスイッチのターンオフ時点で発生する高いスパイク電圧を低減することができる力率補正装置、電源装置、及びモーター駆動装置を提供することができる。
【００３３】
また、本明細書の開示により、イーエムアイ（ＥＭＩ）ノイズレベルを低減する力率補正装置、電源装置、及びモーター駆動装置を提供することができる。
【図面の簡単な説明】
【００３４】
【図１】力率補正回路の概路図である。
【図２】力率補正回路に備えられたメインスイッチと補助スイッチのスイッチング制御信号グラフである。
【図３】本発明の一実施例による力率補正装置を示す図面である。
【図４】本発明の一実施例によるスイッチング制御信号グラフである。
【図５】力率補正装置の主要部分の波形グラフである。
【図６】第１インダクタと第２インダクタの具現例を示す図面である。
【図７】本発明の一実施例によるモーター駆動装置を示す図面である。
【図８】本発明の一実施例によるモーター駆動装置を示す図面である。
【図９】本発明の一実施例による電源装置を示す図面である。
【発明を実施するための形態】
【００３５】
以下では、添付の図面を参照して本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。したがって、図面における要素の形状及び大きさなどはより明確な説明のために誇張されることがある。
【００３６】
図１は力率補正回路の概路図である。
【００３７】
図１を参照すると、力率補正回路１００は、メインスイッチＳ１と、補助スイッチＳ２と、を含むことができ、第１及び第２インダクタＬ１、Ｌ２と、ダイオードＤ２と、キャパシタＣ１と、をさらに含むことができる。
【００３８】
メインスイッチＳ１は、入力電源をスイッチングして入力電源の電圧と電流との間の位相差を調整して力率を補正することができる。
【００３９】
第１インダクタＬ１は、入力電源端とメインスイッチＳ１との間に連結されて、メインスイッチＳ１のスイッチングによりエネルギーを蓄積又は放出することができる。例えば、メインスイッチＳ１がトランジスターで構成される場合、第１インダクタＬ１は入力電源端とメインスイッチＳ１のコレクターとの間に連結されることができる。
【００４０】
上記入力電源は整流された電源であることができ、これにより整流回路Ｄ１は、交流電源を整流して上記入力電源を力率補正回路に伝達することができる。
【００４１】
補助スイッチＳ２は、第２インダクタＬ２と接地との間に連結されることができる。一方、メインスイッチＳ１及び補助スイッチＳ２がトランジスターである場合、第２インダクタＬ２は、メインスイッチＳ１のコレクターと補助スイッチＳ２のコレクターとの間に連結されることができる。
【００４２】
上記ダイオードＤ２は、第１インダクタＬ１と出力端との間に連結されて、メインスイッチＳ１のスイッチングにより出力される電源の伝達経路を提供することができる。
【００４３】
上記キャパシタＣ１は、出力端に並列連結されて、出力される電源を安定化させることができる。
【００４４】
制御部１１０は、メインスイッチＳ１と補助スイッチＳ２のスイッチングオン及びスイッチングオフを制御するスイッチング制御信号Ｇ１、Ｇ２を提供することができる。
【００４５】
力率補正回路１００のメインスイッチＳ１は、入力電源をスイッチングして入力電源の電圧と電流との間の位相差を調整して力率を補正する。この際、補助スイッチＳ２は、メインスイッチＳ１のスイッチングオン及びスイッチングオフ時に残った余剰電源の伝達経路を形成することができる。
【００４６】
図２は力率補正回路に備えられたメインスイッチと補助スイッチのスイッチング制御信号グラフである。
【００４７】
図１及び図２を参照すると、力率補正回路１００の補助スイッチＳ２は、メインスイッチＳ１のスイッチングオン前に上記余剰電源の伝達経路を形成することができる。即ち、上記余剰電源を接地にバイパスすることができる。
【００４８】
このために、制御部１１０は、メインスイッチＳ１のスイッチングオン前に補助スイッチＳ２をスイッチングオンさせるスイッチング制御信号Ｇ１、Ｇ２を伝達することができる。
【００４９】
制御部１１０は、メインスイッチＳ１のスイッチングオン前に補助スイッチＳ２をスイッチングオン及びスイッチングオフさせることができる。あるいは、上記制御部１１０は、メインスイッチＳ１のスイッチングオン前に補助スイッチＳ２をスイッチングオンさせ、メインスイッチＳ１がスイッチングオンした後に補助スイッチＳ２をスイッチングオフさせることもできる。
【００５０】
好ましくは、上記制御部１１０は、上記補助スイッチＳ２をオンさせ、上記メインスイッチＳ１の両端にかかる電圧がゼロ電圧になった後に、上記補助スイッチＳ２をオフさせることができる。
【００５１】
図３は本発明の一実施例による力率補正装置を示す図面である。
【００５２】
図３を参照すると、本発明の一実施例による力率補正装置２００は、メインスイッチＳ１０と、補助スイッチＳ２０と、を含むことができ、第１及び第２インダクタＬ１０、Ｌ２０と、ダイオードＤ２０と、キャパシタＣ１０と、をさらに含むことができる。
【００５３】
一方、説明の便宜上、上記メインスイッチＳ１０は第１スイッチと定義することができ、上記補助スイッチＳ２０は第２スイッチと定義することができる。
【００５４】
上記メインスイッチＳ１０は、入力電源をスイッチングして入力電源の電圧と電流との間の位相差を調整して力率を補正することができる。
【００５５】
上記第１インダクタＬ１０は、入力電源端とメインスイッチＳ１０との間に連結されることができる。例えば、メインスイッチＳ１０がトランジスターで構成される場合、第１インダクタＬ１０は入力電源端とメインスイッチＳ１０のコレクターとの間に連結されることができる。
【００５６】
また、上記第１インダクタＬ１０は、メインスイッチＳ１０のスイッチングによりエネルギーを蓄積又は放出することができる。
【００５７】
上記入力電源は整流された電源であることができる。例えば、整流回路Ｄ１０は、交流電源を整流して上記入力電源を力率補正回路に伝達することができる。
【００５８】
上記補助スイッチＳ２０は、上記メインスイッチＳ１０がオンする前にスイッチングオンして、上記第１スイッチの余剰電源の伝達経路を形成することができる。
【００５９】
また、上記補助スイッチＳ２０は、第２インダクタＬ２０と接地との間に連結されることができる。一方、メインスイッチＳ１０及び補助スイッチＳ２０がトランジスターである場合、第２インダクタＬ２０はメインスイッチＳ１０のコレクターと補助スイッチＳ２０のコレクターとの間に連結されることができる。
【００６０】
上記ダイオードＤ２０は、第１インダクタＬ１０と出力端との間に連結されて、メインスイッチＳ１０のスイッチングにより上記第１インダクタＬ１０から出力される電源の伝達経路を提供することができる。
【００６１】
上記キャパシタＣ１０は、出力端に並列連結されて、上記ダイオードＤ２０から伝達される電源を安定化させることができる。
【００６２】
制御部２１０は、メインスイッチＳ１０と補助スイッチＳ２０のスイッチングオン及びスイッチングオフを制御するスイッチング制御信号Ｇ１０、Ｇ２０を出力することができる。
【００６３】
力率補正装置２００のメインスイッチＳ１０は、入力電源をスイッチングして入力電源の電圧と電流との間の位相差を調整することで力率を補正する。この際、補助スイッチＳ２０は、メインスイッチＳ１０のスイッチングオン及びスイッチングオフ時に残った余剰電源の伝達経路を形成することができる。
【００６４】
一方、本発明の一実施例によると、上記第１インダクタＬ１０と上記第２インダクタＬ２０は誘導結合することができる。
【００６５】
また、本発明の一実施例によると、上記第１インダクタＬ１０及び上記第２インダクタＬ２０は、差動モードで誘導結合することができる。ここで、差動モードとは、上記第１インダクタＬ１０と上記第２インダクタＬ２０の極性が互いに反対に結合された状態を意味する。例えば、第２インダクタＬ２０の第２電流ＩＬ２０により、第１インダクタＬ１０には第１電流ＩＬ１０が誘導されることができる。
【００６６】
また、本発明の一実施例によると、上記第１インダクタＬ１０及び上記第２インダクタＬ２０は一つのコアを共有することができる。
【００６７】
上記第１インダクタＬ１０と上記第２インダクタＬ２０が一つのコアを共有する場合、力率補正装置でのインダクタ実装空間及びコストを節約することができる。
【００６８】
上記コアは磁性体コアであることができる。上記磁性体コアは鉄心コア、フェライトコアであることができる。
【００６９】
図４は本発明の一実施例によるスイッチング制御信号グラフである。
【００７０】
図３及び図４を参照すると、力率補正装置２００の補助スイッチＳ２０は、メインスイッチＳ１０のスイッチングオン前に上記余剰電源の伝達経路を形成することができる。即ち、上記余剰電源を接地にバイパスすることができる。
【００７１】
このために、制御部２１０は、メインスイッチＳ１０のスイッチングオン前に補助スイッチＳ２０をスイッチングオンさせるスイッチング制御信号Ｇ１０、Ｇ２０を伝達することができる。
【００７２】
以降、制御部２１０は、メインスイッチＳ１のスイッチングオン前に補助スイッチＳ２をスイッチングオン及びスイッチングオフさせることができる。
【００７３】
あるいは、上記制御部２１０は、メインスイッチＳ１０のスイッチングオン前に補助スイッチＳ２０をスイッチングオンさせ、メインスイッチＳ１０がスイッチングオンした後に補助スイッチＳ２０をスイッチングオフさせることもできる。
【００７４】
好ましくは、上記制御部２１０は、上記補助スイッチＳ２０にオンさせ、上記メインスイッチＳ１０のゼロ電圧ターン‐オン（Ｚｅｒｏ  Ｖｏｌｔａｇｅ  Ｓｗｉｔｃｈｉｎｇ）条件を発生させ、上記補助スイッチＳ２０をオフさせることができる。
【００７５】
図１及び図２を参照すると、補助スイッチＳ２がスイッチングオフする時点で、上記補助スイッチＳ２の両端には非常に高いスパイク電圧が発生することができる。その理由は、上記補助スイッチＳ２のスイッチングオフ動作時に上記補助スイッチＳ２に流れていた電流が導通する電流パスがないためである。特に、ダイオードＤ２に向かう負荷電流が大きい場合、第２スイッチＳ２の定格電圧より高いスパイク電圧が発生することができる。
【００７６】
図３及び図４を参照すると、本発明の一実施例による力率補正装置は、補助スイッチＳ２０がスイッチングオフする時点で、上記第２インダクタＬ２０に貯蔵されたエネルギーを第１インダクタの電流パスに伝達することができる。
【００７７】
このように、第２インダクタＬ２０と第１インダクタＬ１０のエネルギーカップリング（ｅｎｅｒｇｙ  ｃｏｕｐｌｉｎｇ）により、スパイク電圧が低い値に制限されることができる。
【００７８】
図５は力率補正装置の主要部分の波形グラフである。
【００７９】
図５の（ａ）は図１に図示された回路の主要部分の波形グラフである。
【００８０】
図５の（ｂ）は図３に図示された回路の主要部分の波形グラフである。
【００８１】
図５を参照すると、Ｉ区間は、補助スイッチＳ２、Ｓ２０のスイッチングオフ状態と、メインスイッチＳ１、Ｓ１０のスイッチングオフ状態を意味する。
【００８２】
また、ＩＩ区間は、補助スイッチＳ２、Ｓ２０のスイッチングオン状態を意味する。
【００８３】
また、ＩＩＩ区間は、補助スイッチＳ２、Ｓ２０のスイッチングオフ状態と、メインスイッチＳ１、Ｓ１０のスイッチングオン状態を意味する。
【００８４】
Ｉ区間において、補助インダクタＬ２、Ｌ２０には電流ＩＬ２、ＩＬ２０が流れず、出力端への電流ＩＤ２、ＩＤ２０は流れ、メインスイッチＳ１、Ｓ１０には電流ＩＳ１、ＩＳ１０が流れない。
【００８５】
ＩＩ区間において、補助スイッチＳ２、Ｓ２０がスイッチングオンし、補助インダクタＬ２、Ｌ２０には電流ＩＬ２、ＩＬ２０が流れ、出力端への電流ＩＤ２、ＩＤ２０は遮断され、メインスイッチＳ１、Ｓ１０には電流ＩＳ１、ＩＳ１０が流れない。
【００８６】
ＩＩＩ区間において、補助スイッチＳ２はスイッチングオフするが、補助スイッチＳ２がスイッチングオフする時点で、上記補助スイッチＳ２の両端には非常に高いスパイク電圧が発生することができる。その理由は、上記補助スイッチＳ２のスイッチングオフ動作時に、上記補助スイッチＳ２に流れていた電流が導通する電流パスがないためである（図５の（ａ）参照）。
【００８７】
反面、本発明の一実施例による力率補正装置は、補助スイッチＳ２０がスイッチングオフする時点で、上記第２インダクタＬ２０に貯蔵されたエネルギーを第１インダクタＬ１０の電流パスに伝達することができる。
【００８８】
このように、第２インダクタＬ２０と第１インダクタＬ１０のエネルギーカップリング（ｅｎｅｒｇｙ  ｃｏｕｐｌｉｎｇ）により、スパイク電圧が低い値に制限されることができる。
【００８９】
図５の（ｂ）を参照すると、本発明の一実施例による力率補正装置がスパイク電圧を大きく低減させることを確認することができる（ＶＬ２、ＶＬ２０参照）。
【００９０】
図６は第１インダクタと第２インダクタの具現例を示す図面である。
【００９１】
本発明の一実施例によると、上記第１インダクタＬ１０及び上記第２インダクタＬ２０は一つのコア（ｃｏｒｅ）を共有することができる。
【００９２】
上記第１インダクタＬ１０と上記第２インダクタＬ２０が一つのコアを共有する場合、力率補正装置でのインダクタ実装空間及びコストを節約することができる。
【００９３】
上記コアは磁性体コアであることができる。上記磁性体コアは鉄心コア、フェライトコアであることができる。
【００９４】
図７及び図８は本発明の一実施例によるモーター駆動装置を示す図面である。
【００９５】
図７及び図８を参照すると、本発明のモーター駆動装置３００、４００は、力率補正回路３１０、４１０と、駆動部３２０、４２０と、駆動制御部３３０、４３０と、を含むことができる。力率補正回路３１０、４１０は図３に図示された力率補正装置２００と同一であるため、詳細な説明は省略する。
【００９６】
但し、図７及び図８を参照すると、力率補正回路３１０、４１０のメインスイッチＳ１０及び補助スイッチＳ２０は、ＩＧＢＴ（Ｉｎｓｕｌａｔｅｄ  ｇａｔｅ  ｂｉｐｏｌａｒ  ｔｒａｎｓｉｓｔｏｒ）３１０又はＭＯＳ‐ＦＥＴ（Ｍｅｔａｌ  ｏｘｉｄｅ  Ｓｅｍｉｃｏｎｄｕｃｔｏｒ  Ｆｉｅｌｄ‐Ｅｆｆｅｃｔ  Ｔｒａｎｓｉｓｔｏｒ）４１０で構成されることができる。
【００９７】
駆動部３２０、４２０は、力率補正回路３１０、４１０から力率補正された電源の供給を受けて制御信号に応じてそれぞれスイッチングしてモーターＭを駆動することができる。ここでは３相の電源を供給してモーターＭを駆動する実施形態が記述されているが、単相電源によるモーター駆動も可能である。
【００９８】
駆動制御部３３０、４３０は、力率補正回路３１０、４１０からの力率補正された電源のスイッチングを制御して、モーターＭの駆動を制御することができる。
【００９９】
図９は本発明の一実施例による電源装置を示す図面である。
【０１００】
図９を参照すると、電源装置５００は、力率補正回路５１０と、電源変換部５２０と、スイッチング制御部５３０と、を含むことができる。
【０１０１】
力率補正回路５１０は、図３に図示された力率補正装置２００と同一であるため、詳細な説明は省略する。
【０１０２】
また、力率補正回路５１０のメインスイッチＳ１０及び補助スイッチＳ２０は、図７及び図８のように、ＩＧＢＴ（Ｉｎｓｕｌａｔｅｄ  ｇａｔｅ  ｂｉｐｏｌａｒ  ｔｒａｎｓｉｓｔｏｒ）又はＭＯＳ‐ＦＥＴ（Ｍｅｔａｌ  ｏｘｉｄｅ  Ｓｅｍｉｃｏｎｄｕｃｔｏｒ  Ｆｉｅｌｄ‐Ｅｆｆｅｃｔ  Ｔｒａｎｓｉｓｔｏｒ）で構成されることができる。
【０１０３】
電源変換部５２０は、力率補正回路５１０からの直流電源をスイッチングして予め設定された電圧レベルを有する直流電源に変換し、負荷に供給することができ、スイッチング制御部５３０は、出力される直流電源の電圧又は電流レベルに応じて電源変換部５２０のスイッチングを制御することができる。
【０１０４】
本発明によると、力率補正のためのスイッチング前に余剰電源を接地に伝達して力率補正スイッチングのゼロ電圧スイッチングを保障するため、力率補正スイッチング時に発生するスイッチング損失を低減することができる。
【０１０５】
また、本発明によると、第１インダクタＬ１０と第２インダクタＬ２０が誘導結合して補助スイッチＳ２０のターンオフ動作時に第２インダクタＬ２０に貯蔵されたエネルギーの電流パスを提供することができる。したがって、本発明によると、補助スイッチＳ２０のターンオフ時点で発生する高いスパイク電圧を低減することができる。また、本発明によると、上記構成により、イーエムアイ（ＥＭＩ）ノイズレベルを低減することができる。
【０１０６】
また、本発明によると、第１インダクタＬ１０と第２インダクタＬ２０がコアを共有するため、設置コスト及び実装面積を減少させることができる。
【０１０７】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【０１０８】
２００  力率補正装置
２１０  制御部
３００、４００  モーター駆動装置
３３０、４３０  駆動制御部
５００  電源装置
５３０  スイッチング制御部
【図１】
2014113020.tif 000003
【図２】
2014113020.tif 000004
【図３】
2014113020.tif 000005
【図４】
2014113020.tif 000006
【図５】
2014113020.tif 000007
【図６】
2014113020.tif 000008
【図７】
2014113020.tif 000009
【図８】
2014113020.tif 000010
【図９】
2014113020.tif 000011